(57)【要約】 【課題】  鉛、ステンレス及び鉄等の金属片に代えて、砂粒子群を重錘体として使用した不織布製コードを提供する。【解決手段】  この不織布製コードは、テープ状不織布素材３と砂粒子群２とを用いて作成される。テープ状不織布素材３は、低融点成分と高融点成分とからなる複合繊維を含有し、各複合繊維相互間が低融点成分の融着によって結合されている。この素材３を、長手方向に沿って二つ折りして、幅方向熱シール領域６を作成する。その後、長手方向熱シール領域９を作成しながら、二つ折りされた素材３，３の間に、砂粒子群２を投入する。所定量の砂粒子群２を投入した後、熱シール領域６を再び作成する。これを繰り返すことにより、熱シール領域６，６，６・・・と熱シール領域９に囲繞された小室１，１，１・・・が作成され、各小室１内に、砂粒子群２が収納充填された不織布製コードが得られる。【選択図】  図３
0003131413.tif 000002
【実用新案登録請求の範囲】
【請求項１】
低融点成分と高融点成分とからなる複合繊維を含有するテープ状不織布が、その長手方向に直列に配置している小室群を備えており、各小室内には砂粒子群が収納されており、該小室群以外の箇所は、該複合繊維の低融点成分が融着固化して、各小室を区画していることにより、該砂粒子群の移動を阻止していることを特徴とする砂粒子群を内臓してなる不織布製コード。
【請求項２】
下記の工程を経て得られた請求項１記載の砂粒子群を内蔵してなる不織布製コード。
（ａ）低融点成分と高融点成分とからなる複合繊維を含有するテープ状不織布素材を、その長手方向に沿って二つ折りする工程。
（ｂ）（ａ）工程の後、幅方向に亙って、前記複合繊維の低融点成分を融着固化して、幅方向熱シール領域を作成する工程。
（ｃ）（ｂ）工程の後、（ａ）工程で付与された折り目に対向する長手方向端縁において、前記複合繊維の低融点成分を融着固化し、該長手方向端縁を熱シールして長手方向熱シール領域を作成する工程。
（ｄ）（ｃ）工程で熱シールしながら、二つ折りされたテープ状不織布素材の間に、砂粒子群を投入する工程。
（ｅ）（ｄ）工程において、所定量の砂粒子群を投入した後、砂粒子群の投入を停止して、再び（ｂ）工程を適用し、砂粒子群が収納されてなる小室を作成する工程。
（ｆ）以下、（ｃ）工程、（ｄ）工程及び（ｅ）工程を繰り返す工程。
【請求項３】
請求項１又は２記載の不織布製コードを被覆するように、合成繊維製ストランドが編組されてなることを特徴とする重錘体コード。
【請求項４】
請求項３記載の重錘体コードを、ネット本体の端縁に縫着してなるネット。
【請求項５】
防鳥ネット又は防獣ネットである請求項４記載のネット。
【考案の詳細な説明】
【技術分野】
【０００１】
本考案は、カラス避けネットやハト避けネット等の端縁に縫着し錘として使用される不織布製コードに関し、特に重錘体として砂粒子群を用いて、これを不織布で被覆してなることを特徴とする不織布製コードに関するものである。
【背景技術】
【０００２】
従来より、錘として使用される重錘体コードとしては、糸入り鉛線が伝統的に使用されていた。糸入り鉛線は、糸表面に多数個の鉛をかしめて取り付けたものであり、重錘体コードとして多用されている。たとえば、マルチフィラメント糸条で組紐を編組する際に、その中心に糸入り鉛線を配置して、重錘体組紐コードとして用いられている。
【０００３】
しかるに、近年、鉛は環境に悪影響を及ぼすとして、忌避される傾向にある。糸入り鉛線に使用されている固体の鉛が、環境に悪影響を及ぼすとの根拠は全くなく、単なる風評であるとの意見もある。しかしながら、単なる風評であったとしても、鉛に代えて他の金属で重錘体コードを得ようとする試みは、無意味なことではない。
【０００４】
本考案者も、鉛に代えて、比較的高比重のステンレスを用いて、糸入りステンレス線を得ることを試みた（特許文献１）。しかしながら、ステンレスは鉛に比べて硬いため、それをかしめて糸に取り付けることが困難であった。
【０００５】
このため、更に本考案者は、特許文献２及び３に記載されているように、低融点成分と高融点成分とからなる複合繊維を含有するテープ状不織布を用いて、その長手方向に直列に配置している小室群を設け、この各小室内にステンレス製や鉄製の重錘体を収納した不織布製コードを提案している。
【０００６】
【特許文献１】特開２００２−２３８７３６公報
【特許文献２】登録実用新案第３１２２５９３号公報
【特許文献３】登録実用新案第３１２６０８９号公報
【考案の開示】
【考案が解決しようとする課題】
【０００７】
しかしながら、重錘体として、ステンレスや鉄等の金属片は、高価であるため、なかなか普及しないのが現状である。このため、本考案者は、重錘体として天然砂或いは製鉄所や鋳物工場等から排出される廃棄砂を用いれば、安価な重錘体コードが得られると考えた。
【０００８】
しかし、特許文献２又は３に記載された金属片よりなる重錘体に代えて、天然砂や廃棄砂等の砂粒子群を、テープ状不織布の小室に収納し、均一に充填するのは困難である。本考案の課題は、砂粒子群を、容易に小室内に収納し、かつ、均一に充填した不織布製コードを得ることにある。
【課題を解決するための手段】
【０００９】
すなわち、本考案は、低融点成分と高融点成分とからなる複合繊維を含有するテープ状不織布が、その長手方向に直列に配置している小室群を備えており、各小室内には砂粒子群が収納されており、該小室群以外の箇所は、該複合繊維の低融点成分が融着固化して、各小室を区画していることにより、砂粒子群の移動を阻止していることを特徴とする砂粒子群を内臓してなる不織布製コードに関するものである。
【００１０】
そして、このような不織布製コードは、以下の工程を経て得られるものである。すなわち、
（ａ）低融点成分と高融点成分とからなる複合繊維を含有するテープ状不織布素材を、その長手方向に沿って二つ折りする工程、
（ｂ）（ａ）工程の後、幅方向に亙って、前記複合繊維の低融点成分を融着固化して、幅方向熱シール領域を作成する工程、
（ｃ）（ｂ）工程の後、（ａ）工程で付与された折り目部に対向する長手方向端縁において、前記複合繊維の低融点成分を融着固化し、該長手方向端縁を熱シールして、長手方向熱シール領域を作成する工程、
（ｄ）（ｃ）工程で熱シールしながら、二つ折りされたテープ状不織布素材の間に、砂粒子群を投入する工程、
（ｅ）（ｄ）工程において、所定量の砂粒子群を投入した後、再び（ｂ）工程を適用し、砂粒子群が収納されてなる小室を作成する工程、
（ｆ）以下、（ｃ）工程、（ｄ）工程及び（ｅ）工程を繰り返す工程、
よりなるものである。
【００１１】
本考案で使用する不織布は、低融点成分と高融点成分とからなる複合繊維を含有するものである。具体的には、低融点成分を鞘成分とし高融点成分を芯成分となる芯鞘型複合繊維や、断面半月状の低融点成分と高融点成分とが貼り合わされてなるサイドバイサイド型複合繊維を含有する不織布である。そして、各複合繊維相互間が、低融点成分によって結合されて不織布となっているものである。低融点成分と高融点成分の組み合わせとしては、ポリエチレン−ポリエステル、低融点ポリエステル−高融点ポリエステル、ポリエチレン−ポリプロピレン、ポリプロピレン−ポリエステル等が挙げられる。なお、複合繊維は長繊維でも短繊維でもよい。このような不織布は市販されており、ポリエチレンとポリエステルからなる芯鞘型複合繊維で構成された、ユニチカ株式会社製のスパンボンド不織布「エルベス」等が代表的である。
【００１２】
この不織布は、テープ状となっており、その長手方向に直列に配置している小室群１，１，１・・・を備えている。小室群１，１，１・・・を備えたテープ状不織布を得るには、たとえば、二枚のテープ状不織布素材を重合し、小室群１，１，１・・・以外の箇所に、熱及び圧力を付加して、不織布中の低融点成分を溶融又は軟化させ、その箇所を融着させればよい。また、一枚の幅広のテープ状不織布素材を、長手方向に沿って二つ折りして重合し、小室群１，１，１・・・以外の箇所に、熱及び圧力を負荷して、不織布中の低融点成分を溶融又は軟化させ、その箇所を融着させてもよい（図１）。この際、高融点成分は溶融せず、当初の繊維形態を維持している。したがって、融着箇所においても、繊維形態を持つ高融点成分が残存しているため、石や釘等と接触しても、フィルムの如く裂けやすくなるのを防止しうるのである。
【００１３】
小室１の中には砂粒子群２が収納されている。砂粒子群２としては、天然砂粒子群や廃棄砂粒子群が用いられる。上記したように、鉛は環境に悪影響があるとの風評があり、また鉛以外のステンレスや鉄等の金属片は高価である。一方、天然砂や廃棄砂は、前記した金属片に比べて、かなり安価であるので、本考案において用いられるのである。小室１の中に砂粒子群２を収納するには、以下の方法を適用する。
【００１４】
まず、低融点成分と高融点成分とからなる複合繊維を含有するテープ状不織布素材３を準備する。このテープ状不織布素材３の幅は、得られるテープ状不織布の約２倍となっている。テープ状不織布素材３をその長手方向に沿って二つ折りする。そうすると、一方の長手方向端縁は折り目４となり、この折り目４に対向する他方の長手方向端縁８は、テープ状不織布素材３の長手両端縁が単に重合している状態となる。
【００１５】
二つ折りしたテープ状不織布素材３の所定の箇所（たとえば、長手端末の箇所）で、幅方向に亙って、熱シールを施す。たとえば、加熱板５，５を、幅方向に亙って不織布素材に押し当てて、複合繊維の低融点成分を融着固化すればよい。これによって、幅方向熱シール領域６が作成される。この際、幅方向熱シール領域６以外の領域は、熱シールが施されていない。
【００１６】
幅方向熱シール領域６を作成した後、折り目４に対向する長手方向端縁８を、たとえば加熱ロール７，７で挟んで押圧し、熱シールを施す。この熱シールも、複合繊維の低融点成分が融着固化することによって行われる。これによって、長手方向熱シール領域９が作成される。長手方向熱シール領域９は、一般的に、二つ折りされたテープ状不織布素材３，３を、図３中、下方へ移動させながら作成される。
【００１７】
長手方向熱シール領域９を作成しながら、二つ折りされたテープ状不織布素材３，３の間に、砂粒子群２を投入する。長手方向熱シール領域６は、テープ状不織布素材３，３を下方へ移動させながら作成されるので、砂粒子群２の投入も、テープ状不織布素材３，３を下方へ移動させながら行われる。砂粒子群２を投入するには、砂粒子群供給管１０を用いればよい。砂粒子群供給管１０は、テープ状不織布素材３，３の間に、差し入れられている。
【００１８】
砂粒子群２を所定量（小室１内に収納充填する量）投入した後、砂粒子群供給管１０からの砂粒子群２の供給は停止する。そして、二つ折りされたテープ状不織布素材３，３を下方へ移動させ、砂粒子群２が存在しない箇所が加熱板５，５の箇所に到ったとき、加熱板５，５を、幅方向に亙って不織布素材に押し当てる。これによって、幅方向熱シール領域６が作成され、砂粒子群２が所定量収納充填された小室１が作成されるのである。
【００１９】
そして、この後、テープ状不織布素材３，３を下方へ移動させながら、長手方向熱シール領域９の作成及び砂粒子群２の投入を繰り返すことにより、本考案に係る不織布製コードを得ることができる。すなわち、長手方向に直列に配置している小室１，１，１・・・群を備え、各小室１内には砂粒子群２が収納されている不織布製コードを得ることができる。この場合、小室１は、幅方向熱シール領域６と長手方向熱シール領域９に囲繞されて形成されていることになる。
【００２０】
本考案に係る不織布製コードは、これ単独で重錘体コードとして用いることもできるが、一般的には、不織布製コードを芯とし、これを編組体で被覆して重錘体コードとして用いる。すなわち、不織布製コードを芯として供給しながら、合成繊維製ストランドを用い、編組機械で編組して、重錘体コードとする。合成繊維製ストランドとしては、合成繊維製マルチフィラメント糸条，合成繊維製モノフィラメント糸条，合成繊維製紡績糸条等が用いられる。また、編組組織は任意でよいが、不織布製コードが外部から見えにくい密な編組組織を採用するのが好ましい。外観上、芯となっている不織布製コードが見えると、商品価値が低下するからである。
【００２１】
この重錘体コードは、カラス避けネット、ハト避けネット、防獣ネット、漁網用ネット、防球ネット等のネット本体の端縁に、錘として縫着される。特に、カラス避けネットやハト避けネット等の防鳥ネットの端縁に、重錘体コードを縫着するのが好ましい。また、鼠、犬、猫等の進入を防止するための防獣ネットの端縁に、この重錘体コードを縫着して使用するのも好ましい。
【考案の効果】
【００２２】
本考案に係る不織布製コードは、重錘体として、天然砂粒子群や廃棄砂粒子群等の砂粒子群を用いている。したがって、重錘体として鉛、ステンレス、鉄等の金属片を用いている場合と比較して、金属イオンが溶出することが少なく、環境に悪影響を与えることが少ないという効果を奏する。また、価格的にも、安価に重錘体コードを提供しうるという効果を奏する。
【００２３】
また、本考案に係る不織布製コードの小室は、不織布に含有されている複合繊維の低融点成分が融着固化することによって、一室づつ、区画されているので、砂粒子群が小室を超えて移動することはない。しかも、この不織布は、各複合繊維相互間が低融点成分によって結合されているので、複合繊維の接触点の全てが結合されていることになり、この結果、高強度で破れにくく、砂粒子群がこぼれ落ちにくいという効果も奏する。
【図面の簡単な説明】
【００２４】
【図１】本考案に係る不織布製コードの平面図である。
【図２】図１の不織布製コードのＡ−Ａ線断面図である。
【図３】不織布製コードを製造する際の模式図であり、（ａ）は、折り目に対向する長手方向端縁から見た側面図であり、（ｂ）は平面図である。
【符号の説明】
【００２５】
１      小室
２      砂粒子群
３      テープ状不織布素材
４      折り目
５      加熱板
６      幅方向熱シール領域
７      加熱ロール
８      折り目に対向する長手方向端縁
９      長手方向熱シール領域
１０    砂粒子群供給管
【図１】
0003131413.tif 000003
【図２】
0003131413.tif 000004
【図３】
0003131413.tif 000005